(57)【要約】【課題】本体部分から延びる配線があっても衛生的である歯科医療機器を提供する。【解決手段】歯科治療に用いられる歯科医療機器１０であって、本体１１と、本体を制御するためのフットスイッチ５０と、フットスイッチを保持する配線保持手段６０、１６０と、を備え、フットスイッチは、操作を行う機器である操作スイッチ５１、及び、操作スイッチと本体とを電気的に接続し、一端が本体、他端が操作スイッチに接続された配線５２、を具備し、配線保持手段は、一端が本体、他端が配線に取り付けられ、伸縮可能とされることにより配線を空中に保持する。【選択図】図２
2018029834.tif 000002
【特許請求の範囲】
【請求項１】
歯科治療に用いられる歯科医療機器であって、
本体と、前記本体を制御するためのフットスイッチと、前記フットスイッチを保持する配線保持手段と、を備え、
前記フットスイッチは、操作を行う機器である操作スイッチ、及び、前記操作スイッチと前記本体とを電気的に接続し、一端が前記本体、他端が前記操作スイッチに接続された配線、を具備し、
前記配線保持手段は、一端が前記本体、他端が前記配線に取り付けられ、伸縮可能とされることにより前記配線を空中に保持する、歯科医療機器。
【請求項２】
前記配線保持手段は、前記他端において、前記配線の全長の中央位置を保持し、前記一端は前記配線の全長の半分以上となる高さ位置で前記本体に取り付けられている、請求項１に記載の歯科医療機器。
【発明の詳細な説明】
【技術分野】
【０００１】
本発明は、歯科医療現場にて用いられる歯科医療機器に関し、特に、本体から延びるコード状の配線を具備する医療機器に関する。
【背景技術】
【０００２】
歯科分野の現場では様々な医療機器が用いられており、例えばレーザーを患部に照射することにより治療を行うレーザー治療機器や、患者が着座し、周辺にハンドピース等が備えられる歯科ユニット等が挙げられる。
【０００３】
例えば特許文献１には、レーザー治療機器についてその構造が開示されている。この文献からわかるように、レーザー治療機器にはレーザーの照射の開始と停止を切り替えるフットスイッチが備えられている。フットスイッチは両手でハンドピース及び他の治療具を持った状態で、足でレーザーの照射の開始及び停止を操作できるので利便性が高い。このようなフットスイッチは装置の本体部から配線が延びその先端に操作スイッチが備えられている。これにより、操作スイッチを配線の長さの範囲で自由に移動することができ、施術者の利便性がさらに高められている。
【先行技術文献】
【特許文献】
【０００４】
【特許文献１】特開平０７−０５１２８５号公報
【発明の概要】
【発明が解決しようとする課題】
【０００５】
しかしながら、このようなフットスイッチは、その性質上床に直接置かれ、配線も床を這うように延びて本体と操作スイッチとを接続している。これによると、操作スイッチを移動させるたびに配線も床面を擦るように移動するため床の汚れが配線に移り、衛生の観点から好ましいとは言えない。
【０００６】
そこで本発明は上記問題に鑑み、本体部分から延びる配線があっても衛生的である歯科医療機器を提供することを課題とする。
【課題を解決するための手段】
【０００７】
以下、本発明について説明する。ここでは分かり易さのため、図面に付した参照符号を括弧書きで併せて記載するが、本発明はこれに限定されるものではない。
【０００８】
本発明の１つの態様は、歯科治療に用いられる歯科医療機器（１０）であって、本体（１１）と、本体を制御するためのフットスイッチ（５０）と、フットスイッチを保持する配線保持手段（６０、１６０）と、を備え、フットスイッチは、操作を行う機器である操作スイッチ（５１）、及び、操作スイッチと本体とを電気的に接続し、一端が本体、他端が操作スイッチに接続された配線（５２）、を具備し、配線保持手段は、一端が本体、他端が配線に取り付けられ、伸縮可能とされることにより配線を空中に保持する、歯科医療機器である。
【０００９】
上記歯科医療機器の配線保持手段（６０、１６０）は、他端において、配線の全長の中央位置を保持し、一端は配線の全長の半分以上となる高さ位置で本体に取り付けられている形態としてもよい。
【発明の効果】
【００１０】
本発明によれば、配線が床に触れず空中で保持されているので操作スイッチを移動させても配線が床を擦ることがないので衛生的である。
【図面の簡単な説明】
【００１１】
【図１】レーザー治療装置１０の斜視図である。
【図２】レーザー治療装置１０の側面図である。
【図３】レーザー治療装置１０の他の姿勢における側面図である。
【図４】レーザー治療装置１１０の側面図である。
【発明を実施するための形態】
【００１２】
以下、本発明を図面に示す形態に基づき説明する。ただし本発明はこれら形態に限定されるものではない。
【００１３】
図１は一つの形態を説明する図で、歯科医療機器の一つであるレーザー治療装置１０の外観斜視図、図２はこのレーザー治療装置１０を図１に矢印ＩＩで示した方向から見たレーザー治療装置１０の側面図である。図１、図２では、内側に配置された部材を点線により表すことがある。
【００１４】
図１、図２からわかるように、レーザー治療装置１０は、本体１１、保持手段２０、導光手段３０、レーザーハンドピース４０、フットスイッチ５０、及び配線保持手段６０を有して構成されている。
【００１５】
本体１１は、箱状である筐体１２を有し、その内側にレーザー発振器１３を備えている。レーザー発振器１３の種類は特に限定されることはなく、例えば炭酸ガスレーザー、Ｎｄ：ＹＡＧレーザー、Ｅｒ：ＹＡＧレーザー、半導体レーザー、Ｈｅ−Ｎｅレーザー等を挙げることができる。
また、本体１１には、筐体１２の内側にレーザー治療装置１０を制御する不図示の制御手段が備えられている。制御手段はいわゆる電子回路を形成する演算基板により形成されており、中央演算子（ＣＰＵ）、ＲＯＭ、ＲＡＭ等を有し、ＲＯＭに記憶されたプログラムに基づいて中央演算子で演算を行うことで制御処理を行う。また演算手段には、入力手段として、筐体１２に備えられた入力パネル１１ａ、フットスイッチ５０、及びレーザーハンドピース４０に備えられたスイッチが挙げられる。
制御手段には、これら入力パネル１１ａ、フットスイッチ５０、レーザーハンドピース４０、レーザー発振器１３、及び備えられるその他の各種機器が接続されて、入力に基づいて演算をし、その結果の実行及び表示等が行われる。
【００１６】
保持手段２０は、導光手段３０を保持して、導光手段３０、及びハンドピース４０を空中に保持しておく手段であり、筐体１２から立設するようにして設けられている。本形態で保持手段２０は、連結部材２１、保持棒２３、及び保持片２４を有して構成されている。
【００１７】
連結部材２１は、筐体１２に保持棒２３を連結する部材であり、保持手段２０に力がかかった時にも破壊、切断等の不具合を生じることなく適切に保持手段２０が筐体１２に保持されるように機能する部材である。連結部材２１は特に限定されることはないが、その強度を確保する観点から金属管等を用いることができる。
【００１８】
保持棒２３はその一端（下端）が連結部材２１に取り付けられ立設するように配置された棒状部材である。本形態では、連結部材２１から鉛直上方に延びる先が屈曲して斜め上方に延びるように形成されている。ただしこの形態は特に限定されることはない。また、その断面形状も特に限定されることはなく、円形、多角形、中実、中空等を挙げることができる。
【００１９】
保持棒２３は、導光手段３０を空中に保持する部材であるから、当該保持ができる程度に強度、及びコシを有している必要がある。このような保持をすることができればその材質は特に限定されることはないが、例えば繊維強化プラスチック（ＦＲＰ）、ガラス繊維強化プラスチック（ＧＦＲＰ）、炭素繊維強化プラスチック（ＣＦＲＰ）等を挙げることができる。
【００２０】
保持片２４は、保持棒２３に導光手段３０を固定する手段である。固定のための具体的な手段は特に限定されることはない。本形態では保持棒２３と導光手段３０とを結束する結束部材により導光手段３０を保持棒２３に固定している。
【００２１】
導光手段３０は、レーザー発振器１３から出射したレーザー光をレーザーハンドピース４０にまで導く手段である。図１、図２からわかるように、本形態の導光手段３０は、連結部材３１、導光ファイバー３２、被覆管３３を有して構成されている。
【００２２】
連結部材３１は、筐体１２から立設され、被覆管３３の一端が接合されている。また、連結部材３１の内側を導光ファイバー３２が貫通し、筐体内１２のレーザー発振器１３に接続されている。連結部材３１は、被覆管３３や導光ファイバー３２に力がかかった時にも破壊、切断等の不具合を生じることなく適切にこれらを保護する部材である。従って、連結部材３１は特に限定されることないが、その強度を確保する観点から金属管等により形成することができる。
【００２３】
導光ファイバー３２は、その一端がレーザー発振器１３に接続され、他端がレーザーハンドピース４０に接続されており、レーザー発振器１３から出射されたレーザー光をレーザーハンドピース４０に導光する線状部材である。
導光ファイバー３２は公知のものを適用することができるが、例えば中空ファイバー、プラスチックファイバー、石英ファイバー、多結晶ファイバー等を挙げることができる。
【００２４】
被覆管３３は、その一端が連結部材３１に接合され、他端がレーザーハンドピース４０に接合される管状で可撓性を有する部材である。そして被覆管３３の中を上記導光ファイバー３２が通されている。これにより被覆管３３が導光ファイバー３２を保護している。
被覆管３３はレーザーハンドピース４０の移動に追随して柔軟に移動することが好ましいため、可撓性を有する材料により形成されており、具体的な材料は特に限定されることはないが、例えばステンレス製フレキシブルホース、繊維強化プラスチック（ＦＲＰ），ガラス繊維強化プラスチック（ＧＦＲＰ）、炭素繊維強化プラスチック（ＣＦＲＰ）等を挙げることができる。
【００２５】
このような導光手段３０は、図１、図２からわかるように、その一部が保持片２４により保持棒２３に保持されている。これにより導光手段３０が空中でその姿勢を維持することができる。この保持はレーザーハンドピース４０が配置される側の端部において、ある程度の長さで保持されない部分を有することが好ましい。これによりレーザーハンドピース４０の取り回しの自由度が大きくなる。
【００２６】
レーザーハンドピース４０は、施術者が手に持って操作し、レーザー光が出射される機器である。レーザーハンドピース４０は公知のものを適用することができ、その形態は特に限定されることはない。
なお、レーザーハンドピース４０には、手元で操作することができるようにレーザー光の出射のスイッチを備えることができる。
【００２７】
以上のような構成を備えるレーザー治療装置１０は例えば次のように作用する。この説明において、上記した各構成が備えるべき構造や機能がさらに理解される。
【００２８】
フットスイッチ５０は上記したように、本体１１の制御手段に接続され、本形態ではレーザーの出射及び停止をするスイッチである。フットスイッチ５０は、操作スイッチ５１と配線５２とを有して構成されている。
操作スイッチ５１は操作者が足で操作することができるスイッチであり、床面に載置される。このような操作スイッチ５１は公知の通りであり、本形態では操作スイッチ５１の操作によりレーザーの出射及び停止を制御することができるように構成されている。
配線５２は公知の通りであり、制御手段と操作スイッチ５１とを電気的に接続する紐状で、その一端が制御手段に接続され、他端が操作スイッチ５１に接続されている。そして、配線５２は、導線が絶縁部材に被覆されてなる。
【００２９】
配線保持手段６０は、フットスイッチ５０の配線５２の大部分が床に接しないように保持する手段である。本形態で配線保持手段６０は、伸縮部材６１、及び、保持部材６２を有しており、本形態では伸縮部材が６１が、巻き取り部材６１ａ、及び、紐部材６１ｂを有して構成されている。
【００３０】
巻き取り部材６１ａは、伸縮部材６１を構成する一つの部材であり、本体１１に取り付けられて紐部材６１ｂを巻き取り及び巻き出し可能に収納する部材である。この巻き取り及び巻き出しは、紐部材６１ｂを巻き取る方向に付勢するように構成されており、この付勢力に抗して巻き出しをすることが好ましい。これにより配線５２が常に引き上げられ、床への接触が回避される。ただし、この付勢力は強すぎると操作スイッチ５１が動いてしまい、操作スイッチ５１を任意の位置に置いておくことができなくなるので、付勢力は操作スイッチ５１が付勢力により移動してしまわないことを条件に強いことが好ましい。
このように巻き取りの付勢力を付与する手段としては特に限定されることはないが、例えばゼンマイ、バネ、及びゴム等の弾性部材を挙げることができる。
また、巻き取り部材６１ａの具体的な形態は特に限定されることはないが、リール状を挙げることができ、円筒部材の回転軸回りに付勢力が付与され、該円筒部材の外周に紐部材６１ｂが巻きつく形態を挙げることができる。
【００３１】
紐部材６１ｂは、紐状の部材であり、上記したように巻き取り部材６１ａに巻き取り及び巻出しされることで伸縮するように作用する。従って本形態では伸縮部材自体が弾性的に伸縮するのでなく、巻き取り及び巻き出しによる伸縮である。
紐部材６１ｂの一端には上記巻き取り部材６１ａ、他端には保持部材６２に取り付けられている。
【００３２】
保持部材６２は、上記したように紐部材６１ｂの端部に取り付けられるとともに、配線５２に固定される。これにより伸縮部材６１と配線５２とが連結される。固定のための具体的な手段は特に限定されることはない。
【００３３】
以上のような構成を備えるレーザー治療装置１０によれば、次のように作用する。すなわち、施術者は、治療の際にレーザーハンドピース４０を掴み、レーザー光を照射すべき部位にレーザーハンドピース４０を近づける。そしてフットスイッチ５０の操作スイッチ５１を足で操作することでレーザーハンドピース４０からレーザーが照射され治療が行われる。治療が終了したら再び操作スイッチ５１を操作してレーザーの照射を停止する。その後、施術者がレーザーハンドピース４０を離しても、図１、図２からわかるように、レーザーハンドピース４０は、保持棒２３に保持されているので、レーザーハンドピース４０は空中に保持される。
【００３４】
また、配線保持手段６０が、伸縮部材６１の付勢力により配線５２を上方に持ち上げるように保持しているので、配線５２が床面に接触しないことから衛生的である。また、配線保持手段６０は、操作スイッチ５１の移動を阻害しないように構成されているので、例えば図１に矢印Ａで示したように施術者が好ましい位置に操作スイッチ５１を移動させても、配線５２は配線保持手段６０に阻害されることなく図１に矢印Ｂで示したように追随して移動する。
このときにも、配線保持手段６０により、配線５２は空中に保持された状態を維持することができるので、配線５２は床面を擦ることなく移動することから、衛生状態が維持される。伸縮部材６１は常に配線５２を引き付ける方向に付勢しているので、操作スイッチ５１を本体１１に近づけるように移動したときには伸縮部材６１が縮むことで適切な保持を維持する。一方操作スイッチ５１を本体１１から遠ざけるように移動したときには伸縮部材６１の付勢力に抗して伸縮部材６１が伸び、移動を阻害しない。
【００３５】
また、図２に示したように、保持部材６２が取り付けられる位置を配線５２の全長（２Ｌ）の長手方向中央とし、伸縮部材６１が本体１１の取り付けられる位置を床面から高さを配線５２の全長の半分（Ｌ）以上とすれば、図３に示したように、操作スイッチ５１を本体１１に接触するような位置にまで近づけても配線５２を空中に保持することができる。例えば、図３の姿勢が操作スイッチ５１の収納姿勢であれば、このような収納姿勢においても配線５２が床面に接触することなく衛生的である。
【００３６】
図４には、変形例のレーザー治療装置１１０を説明する図である。レーザー治療装置１１０では、上記したレーザー治療装置１０の配線保持手段６０の代わりに配線保持手段１６０が適用されている点で異なる。他の部位についてはレーザー治療装置１０と同様である。
配線保持手段１６０は、伸縮部材１６１及び保持部材６２を備えている、そして本形態で伸縮部材１６１は、一方向に長い弾性部材１６１ａのみから形成されており、その一端が本体１１に、他端が保持部材６２にそれぞれ固定されている。
本形態の伸縮部材１６１は、弾性部材１６１ａ自体に伸縮性を備えており、付勢力を付与するように構成されている。弾性部材１６１ａの弾性力は上記したように配線５２を空中に保持することができようにされていればよい。そのための具体的な形態は限定されることはないが、バネ、ゴム等の弾性部材を挙げることができる。
【００３７】
ここでは歯科医療機器の例としてレーザー治療装置を挙げたが、この他にフットスイッチ等、配線が外に延びる部位を有する歯科医療機器にも本発明を適用することができる。これには例えば、患者が着座する部位とその周りに配置されたハンドピースユニット（ドクターユニットやアシスタントユニット）を具備する歯科ユニットを挙げることができる。
【００３８】
歯科では、患者のほとんどが歯科ユニットを用いて治療が行われるため、当該歯科ユニットが複数並び、人の往来も激しい。かかる観点からこのような機器が置かれる場所で床面が汚れやすいため、本発明の効果は特に顕著なものとなる。
【符号の説明】
【００３９】
１０、１１０  レーザー治療装置（歯科医療機器）
１１  本体
１１ａ  入力パネル
１２  筐体
１３  レーザー発振器
２０  保持手段
２１  連結部材
２３  保持棒
２４  保持片
３０  導光手段
３１  連結部材
３２  導光ファイバー
３３  被覆管
４０  レーザーハンドピース
５０  フットスイッチ
５１  操作スイッチ
５２  配線
６０  配線保持手段
６１  伸縮部材
６１ａ  巻き取り部材
６１ｂ  紐部材
６２  保持部材
１６０  配線保持手段
１６１  伸縮部材
１６１ａ  弾性部材
【図１】
2018029834.tif 000003
【図２】
2018029834.tif 000004
【図３】
2018029834.tif 000005
【図４】
2018029834.tif 000006